(57)【特許請求の範囲】
【請求項１】
媒体から供給された信号に復調処理及び復号処理を施して課金又は非課金のコンテンツを出力するコンテンツ出力手段と、
前記コンテンツを特定するための識別情報を読み取る識別情報読み取り手段と、
前記コンテンツが課金又は非課金であるかを識別する課金／非課金識別手段と、
前記識別情報読み取り手段が読み取った識別情報及び該識別情報で特定される前記コンテンツのコピー個数をカウントしたカウント数を記憶する記憶手段と、
前記コンテンツ出力手段からコンテンツを出力するときに前記識別情報読み取り手段が読み取った識別情報と該識別情報で特定される前記カウント数とを前記記憶手段に記憶させるか否かを、前記課金／非課金識別手段の識別結果と前記記憶手段に前記識別情報が記憶されているか否かを判定した識別情報判定結果とに基づいて制御するとともに、前記コンテンツ出力手段のコンテンツ出力の外部への導出を、前記課金／非課金識別手段の識別結果と前記識別情報判定結果と前記識別情報で特定される前記カウント数とに基づいて制御する制御手段と
を備え、
前記制御手段は、
前記課金／非課金識別手段からの識別結果が非課金を示し、前記記憶手段に前記識別情報が記憶されていない場合には、前記コンテンツを出力するときに、前記カウント数を１として前記識別情報を前記記憶手段に記憶させ、
前記課金／非課金識別手段からの識別結果が非課金を示し、前記記憶手段に前記識別情報が記憶されており、かつ前記識別情報で特定されるカウント数がコピー個数制限内である場合には、該カウント数を前記記憶手段にインクリメントしてから前記コンテンツ出力を外部に導出させ、
前記課金／非課金識別手段からの識別結果が非課金を示し、前記記憶手段に前記識別情報が記憶されており、かつ前記識別情報で特定されるカウント数が前記コピー個数制限を超えた場合には、前記コンテンツ出力の外部への導出を禁止し、
前記課金／非課金識別手段からの識別結果が課金を示す場合には、前記コンテンツ出力手段のコンテンツ出力を外部に導出させるデータ出力装置。
【請求項２】
媒体としての記録媒体から信号を読み出す読み出し手段を備え、この読み出し手段を介して供給された信号に前記コンテンツ出力手段は復調処理及び復号処理を施す請求項１記載のデータ出力装置。
【請求項３】
前記コンテンツ出力手段がコンテンツを出力する相手先が記録機である請求項１記載のデータ出力装置。
【請求項４】
前記コンテンツを特定するための識別情報は、インターナショナルスタンダードリコーディングコードＩＳＲＣである請求項１記載のデータ出力装置。
【請求項５】
媒体を介して供給されたコンテンツが課金又は非課金であるかを識別する課金／非課金識別工程と、
前記コンテンツを特定するための識別情報が記憶手段に記憶されているか否かを判定する識別情報判定工程と、
前記識別情報判定工程で前記識別情報が記憶されていると判定された場合に、該識別情報で特定される前記コンテンツのコピー個数をカウントしたカウント数がコピー個数制限内であるか否かを判定するカウント数判定工程と、
前記課金／非課金識別工程での識別結果と前記識別情報判定工程での判定結果と前記カウント数判定工程で判定されたカウント数とに基づいて、前記識別情報と該識別情報で特定される前記カウント数とを前記記憶手段に記憶するか否かを決定するとともに、前記課金／非課金識別工程での識別結果と前記カウント数判定工程で判定されたカウント数とに基づいて、前記コンテンツを出力するか否かを決定するコンテンツ出力工程と
を有し、
前記コンテンツ出力工程では、
前記課金／非課金識別工程での識別結果が非課金を示し、前記識別情報判定工程で前記識別情報が記憶されていないと判定された場合には、前記コンテンツを出力するときに、前記カウント数を１として前記識別情報を前記記憶手段に記憶し、
前記課金／非課金識別工程での識別結果が非課金を示し、前記識別情報判定工程で前記識別情報が記憶されていると判定され、かつ前記カウント数判定工程で判定された前記カウント数がコピー個数制限内である場合には、該カウント数を前記記憶手段にインクリメントしてから前記コンテンツ出力を外部に導出し、
前記課金／非課金識別工程での識別結果が非課金を示し、前記識別情報判定工程で前記識別情報が記憶されていると判定され、かつ前記カウント数判定工程で判定された前記カウント数が前記コピー個数制限を超えた場合には、前記コンテンツ出力の外部への導出を禁止し、
前記課金／非課金識別手段工程での識別結果が課金を示す場合には、前記コンテンツ出力を外部に導出するデータ出力方法。
【請求項６】
前記コンテンツを特定するための識別情報は、インターナショナルスタンダードリコーディングコードＩＳＲＣである請求項５記載のデータ出力方法。
【請求項７】
記録媒体から読み出されたコンテンツに対して、新たにデータ記録処理を施し、他の記録媒体に記録するコンテンツ記録手段と、
前記コンテンツを特定するための識別情報を読み取る識別情報読み取り手段と、
前記コンテンツが課金又は非課金であるかを識別する課金／非課金識別手段と、
前記識別情報読み取り手段が読み取った識別情報及び該識別情報で特定される前記コンテンツのコピー個数をカウントしたカウント数を記憶する記憶手段と、
前記コンテンツ記録手段が前記コンテンツを記録するときに、前記識別情報読み取り手段が読み取った識別情報と該識別情報で特定される前記カウント数とを前記記憶手段に記憶させるか否かを前記課金／非課金識別手段の識別結果と前記記憶手段に前記識別情報が記憶されているか否かを判定した識別情報判定結果とに基づいて制御するとともに、前記コンテンツ記録手段のコンテンツ記録処理を前記課金／非課金識別手段の識別結果と前記識別情報判定結果と前記識別情報で特定される前記カウント数とに基づいて制御する制御手段と
を備え、
前記制御手段は、
前記課金／非課金識別手段からの識別結果が非課金を示し、前記記憶手段に前記識別情報が記憶されていない場合には、前記コンテンツを記録するときに、前記カウント数を１として前記識別情報を前記記憶手段に記憶させ、
前記制御手段は、前記課金／非課金識別手段からの識別結果が非課金を示し、前記記憶手段に前記識別情報が記憶されており、かつ前記識別情報で特定されるカウント数がコピー個数制限内である場合には、該カウント数を前記記憶手段にインクリメントしてから前記コンテンツ記録手段にコンテンツ記録処理を行わせ、
前記課金／非課金識別手段からの識別結果が非課金を示し、前記記憶手段に前記識別情報が記憶されており、かつ前記識別情報で特定されるカウント数が前記コピー個数制限を超えた場合には、前記コンテンツ記録手段のコンテンツ記録処理を禁止し、
前記課金／非課金識別手段からの識別結果が課金を示す場合には、前記コンテンツ記録手段にコンテンツ記録処理を行わせるデータ記録装置。
【請求項８】
前記コンテンツを特定するための識別情報は、インターナショナルスタンダードリコーディングコードＩＳＲＣである請求項７記載のデータ記録装置。
【請求項９】
媒体を介して供給されたコンテンツが課金又は非課金であるかを識別する課金／非課金識別工程と、
前記コンテンツを特定するための識別情報が記憶手段に記憶されているか否かを判定する識別情報判定工程と、
前記識別情報判定工程で前記識別情報が記憶されていると判定された場合に、該識別情報で特定される前記コンテンツのコピー個数をカウントしたカウント数がコピー個数制限内であるか否かを判定するカウント数判定工程と、
前記課金／非課金識別工程での識別結果と前記識別情報判定工程での判定結果と前記カウント数判定工程で判定されたカウント数とに基づいて、前記識別情報と該識別情報で特定される前記カウント数とを前記記憶手段に記憶するか否かを決定するとともに、前記課金／非課金識別工程での識別結果と前記カウント数判定工程で判定されたカウント数とに基づいて、前記コンテンツを他の記録媒体に記録するか否かを決定するコンテンツ記録工程と
を有し、
前記コンテンツ記録工程では、
前記課金／非課金識別工程での識別結果が非課金を示し、前記識別情報判定工程で前記識別情報が記憶されていないと判定された場合には、前記コンテンツを記録するときに、前記カウント数を１として前記識別情報を前記記憶手段に記憶し、
前記課金／非課金識別工程での識別結果が非課金を示し、前記識別情報判定工程で前記識別情報が記憶されていると判定され、かつ前記カウント数判定工程で判定された前記カウント数がコピー個数制限内である場合には、該カウント数を前記記憶手段にインクリメントしてから前記コンテンツ出力を外部に導出し、
前記課金／非課金識別工程での識別結果が非課金を示し、前記識別情報判定工程で前記識別情報が記憶されていると判定され、かつ前記カウント数判定工程で判定された前記カウント数が前記コピー個数制限を超えた場合には、前記コンテンツ出力の外部への導出を禁止し、
前記課金／非課金識別手段工程での識別結果が課金を示す場合には、前記コンテンツ出力を外部に導出するデータ記録方法。
【請求項１０】
前記コンテンツを特定するための識別情報は、インターナショナルスタンダードリコーディングコードＩＳＲＣである請求項９記載のデータ記録方法。
【発明の詳細な説明】
【０００１】
【発明の属する技術分野】
本発明は、媒体から供給された信号に復調処理及び復号処理を施してコンテンツのデータを出力するデータ出力装置及びデータ出力方法に関する。また、本発明は、記録媒体から読み出されたコンテンツに対して新たにデータ記録処理を施し他の記録媒体に記録するデータ記録装置及びデータ記録方法に関する。
【０００２】
【従来の技術】
近年において、光ディスク等のディジタル記録媒体の大容量化と普及により、記録されている信号の著作権を保護するために、不法なコピーの防止が重要とされてきている。すなわち、ディジタルオーディオデータやディジタルビデオデータの場合には、コピー或いはダビングにより劣化の無い複製物を容易に生成でき、またコンピュータデータの場合には、元のデータと同一のデータが容易にコピーできるため、既に不法コピーによる著作権の侵害等の弊害が生じてきているのが実情である。
【０００３】
このようなことから、ディジタル記録媒体に記録されている信号を再生したディジタル信号を再びディジタル記録媒体に記録するいわゆるディジタルダビングにおける前記不法コピーの防止を目的として、オリジナルのディジタル記録媒体に不法コピー防止のための所定のＩＤビットを記録しているものがある。
【０００４】
例えば、いわゆるＲ−ＤＡＴ（Rotary head Digital Taperecoder）と称されるディジタルオーディオ信号記録再生装置における前記不法コピー防止のための方式としては、ディジタル記録媒体としてのディジタルオーディオテープ上に記録されるディジタルオーディオ信号のメインデータエリアに、ディジタルコピーの禁止や段階的な世代コピーを禁止（すなわち世代制限）するための禁止コード（いわゆるＳＣＭＳ：シリアルコピー管理システムの規格の禁止コード）を記録しておき、ディジタルオーディオ信号記録装置がこの禁止コードを検出したときに、新たなディジタルオーディオテープ上への当該ディジタルオーディオ信号のコピー記録を禁止するような方式が採用されている。
【０００５】
また、ディジタル記録媒体に記録されている信号を再生したディジタル信号を再びディジタル記録媒体に記録する前記ダビングシステムにおいては、ディジタル記録媒体上のコンテンツのコピー個数を制限するコピー個数制限を用いて著作権を保護しているものもある。
【０００６】
【発明が解決しようとする課題】
ところで、前記コピー個数制限を用いて著作権を保護しているような個数制限システムに対して、課金コンテンツが入ってくることは従来なかった。従来の前記システムに課金コンテンツが入ってくると出力先や記録機で課金がされるにもかかわらず、コピーが制限されてしまうという不都合が生じることになる。
【０００７】
本発明は、前記実情に鑑みてなされたものであり、コピー個数に制限のあるシステムで、非課金用コンテンツのみコピー個数制限対象とし、ユーザにとって納得のいくものとなるデータ出力装置及びデータ出力方法、並びにデータ記録装置及びデータ記録方法の提供を目的とする。
【０００８】
また、課金用コンテンツと非課金用コンテンツを同一のコピー個数制限システムで利用できるデータ出力装置及びデータ出力方法、並びにデータ記録装置及びデータ記録方法の提供を目的とする。
【０００９】
【課題を解決するための手段】
本発明に係るデータ出力装置は、前記課題を解決するために、媒体から供給された信号に復調処理及び復号処理を施して課金又は非課金のコンテンツを出力するコンテンツ出力手段と、前記コンテンツを特定するための識別情報を読み取る識別情報読み取り手段と、前記コンテンツが課金又は非課金であるかを識別する課金／非課金識別手段と、前記識別情報読み取り手段が読み取った識別情報及び該識別情報で特定される前記コンテンツのコピー個数をカウントしたカウント数を記憶する記憶手段と、前記コンテンツ出力手段からコンテンツを出力するときに前記識別情報読み取り手段が読み取った識別情報と該識別情報で特定される前記カウント数とを前記記憶手段に記憶させるか否かを、前記課金／非課金識別手段の識別結果と前記記憶手段に前記識別情報が記憶されているか否かを判定した識別情報判定結果とに基づいて制御するとともに、前記コンテンツ出力手段のコンテンツ出力の外部への導出を、前記課金／非課金識別手段の識別結果と前記識別情報判定結果と前記識別情報で特定される前記カウント数とに基づいて制御する制御手段とを備え、前記制御手段は、前記課金／非課金識別手段からの識別結果が非課金を示し、前記記憶手段に前記識別情報が記憶されていない場合には、前記コンテンツを出力するときに、前記カウント数を１として前記識別情報を前記記憶手段に記憶させ、前記課金／非課金識別手段からの識別結果が非課金を示し、前記記憶手段に前記識別情報が記憶されており、かつ前記識別情報で特定されるカウント数がコピー個数制限内である場合には、該カウント数を前記記憶手段にインクリメントしてから前記コンテンツ出力を外部に導出させ、前記課金／非課金識別手段からの識別結果が非課金を示し、前記記憶手段に前記識別情報が記憶されており、かつ前記識別情報で特定されるカウント数が前記コピー個数制限を超えた場合には、前記コンテンツ出力の外部への導出を禁止し、前記課金／非課金識別手段からの識別結果が課金を示す場合には、前記コンテンツ出力手段のコンテンツ出力を外部に導出させる。
【００１０】
つまり、このデータ出力装置では、制御手段が、前記課金／非課金識別手段の識別結果に基づいて、前記識別情報読み取り手段が読み取った識別情報を前記記憶手段に記憶させるか否かを判断する。
【００１１】
また、このデータ出力装置では、前記コンテンツ出力手段がコンテンツを出力する相手先が記録機であり、かつ前記課金／非課金識別手段からの識別結果が非課金を示すとき、前記制御手段が前記コンテンツ出力時に前記識別情報に関する情報を前記記憶手段に記憶させる。
【００１２】
また、前記制御手段は、前記課金／非課金識別手段からの識別結果と、前記記憶手段に記憶されている前記識別情報に関するカウント数に基づいて、前記コンテンツ出力手段のコンテンツ出力の外部への導出を制御する。
【００１３】
本発明に係るデータ出力方法は、前記課題を解決するために、媒体を介して供給されたコンテンツが課金又は非課金であるかを識別する課金／非課金識別工程と、前記コンテンツを特定するための識別情報が記憶手段に記憶されているか否かを判定する識別情報判定工程と、前記識別情報判定工程で前記識別情報が記憶されていると判定された場合に、該識別情報で特定される前記コンテンツのコピー個数をカウントしたカウント数がコピー個数制限内であるか否かを判定するカウント数判定工程と、前記課金／非課金識別工程での識別結果と前記識別情報判定工程での判定結果と前記カウント数判定工程で判定されたカウント数とに基づいて、前記識別情報と該識別情報で特定される前記カウント数とを前記記憶手段に記憶するか否かを決定するとともに、前記課金／非課金識別工程での識別結果と前記カウント数判定工程で判定されたカウント数とに基づいて、前記コンテンツを出力するか否かを決定するコンテンツ出力工程とを有し、前記コンテンツ出力工程では、前記課金／非課金識別工程での識別結果が非課金を示し、前記識別情報判定工程で前記識別情報が記憶されていないと判定された場合には、前記コンテンツを出力するときに、前記カウント数を１として前記識別情報を前記記憶手段に記憶し、前記課金／非課金識別工程での識別結果が非課金を示し、前記識別情報判定工程で前記識別情報が記憶されていると判定され、かつ前記カウント数判定工程で判定された前記カウント数がコピー個数制限内である場合には、該カウント数を前記記憶手段にインクリメントしてから前記コンテンツ出力を外部に導出し、前記課金／非課金識別工程での識別結果が非課金を示し、前記識別情報判定工程で前記識別情報が記憶されていると判定され、かつ前記カウント数判定工程で判定された前記カウント数が前記コピー個数制限を超えた場合には、前記コンテンツ出力の外部への導出を禁止し、前記課金／非課金識別手段工程での識別結果が課金を示す場合には、前記コンテンツ出力を外部に導出する。
【００１４】
つまり、このデータ出力方法では、課金／非課金識別工程の識別結果と、カウント数判定工程の判定結果に基づいてコンテンツ出力工程からコンテンツを出力するか否かを決定する。
【００１５】
すなわち、前記課金／非課金識別工程での識別結果が非課金を示し、かつ前記カウント数判定工程での判定結果が所定数以内であることを示すとき、前記コンテンツ出力工程は前記カウント数がアップされてから前記コンテンツ出力を外部に導出する。
【００１６】
また、前記課金／非課金識別工程での識別結果が非課金を示し、かつ前記カウント数判定工程での判定結果が所定数を超えたことを示すとき、前記コンテンツ出力工程は前記コンテンツ出力の外部への導出を停止する。
【００１７】
本発明に係るデータ記録装置は、前記課題を解決するために、記録媒体から読み出されたコンテンツに対して、新たにデータ記録処理を施し、他の記録媒体に記録するコンテンツ記録手段と、前記コンテンツを特定するための識別情報を読み取る識別情報読み取り手段と、前記コンテンツが課金又は非課金であるかを識別する課金／非課金識別手段と、前記識別情報読み取り手段が読み取った識別情報及び該識別情報で特定される前記コンテンツのコピー個数をカウントしたカウント数を記憶する記憶手段と、前記コンテンツ記録手段が前記コンテンツを記録するときに、前記識別情報読み取り手段が読み取った識別情報と該識別情報で特定される前記カウント数とを前記記憶手段に記憶させるか否かを前記課金／非課金識別手段の識別結果と前記記憶手段に前記識別情報が記憶されているか否かを判定した識別情報判定結果とに基づいて制御するとともに、前記コンテンツ記録手段のコンテンツ記録処理を前記課金／非課金識別手段の識別結果と前記識別情報判定結果と前記識別情報で特定される前記カウント数とに基づいて制御する制御手段とを備え、前記制御手段は、前記課金／非課金識別手段からの識別結果が非課金を示し、前記記憶手段に前記識別情報が記憶されていない場合には、前記コンテンツを記録するときに、前記カウント数を１として前記識別情報を前記記憶手段に記憶させ、前記制御手段は、前記課金／非課金識別手段からの識別結果が非課金を示し、前記記憶手段に前記識別情報が記憶されており、かつ前記識別情報で特定されるカウント数がコピー個数制限内である場合には、該カウント数を前記記憶手段にインクリメントしてから前記コンテンツ記録手段にコンテンツ記録処理を行わせ、前記課金／非課金識別手段からの識別結果が非課金を示し、前記記憶手段に前記識別情報が記憶されており、かつ前記識別情報で特定されるカウント数が前記コピー個数制限を超えた場合には、前記コンテンツ記録手段のコンテンツ記録処理を禁止し、前記課金／非課金識別手段からの識別結果が課金を示す場合には、前記コンテンツ記録手段にコンテンツ記録処理を行わせる。
【００１８】
つまり、このデータ記録装置では、コンテンツデータを記録するとき、制御手段が前記課金／非課金識別手段の識別結果に基づいて前記識別情報読み取り手段が読み取った識別情報を前記記憶手段に記憶させるか否かを制御する。
【００１９】
すなわち、前記課金／非課金識別手段からの識別結果が非課金を示すとき、前記制御手段は前記コンテンツ記録時に前記識別情報に関する情報を前記記憶手段に記憶させる。
【００２０】
また、前記制御手段は、前記課金／非課金識別手段からの識別結果が課金を示すとき、前記コンテンツ記録手段にコンテンツ記録処理を行わせる。
【００２１】
本発明に係るデータ記録方法は、前記課題を解決するために、媒体を介して供給されたコンテンツが課金又は非課金であるかを識別する課金／非課金識別工程と、前記コンテンツを特定するための識別情報が記憶手段に記憶されているか否かを判定する識別情報判定工程と、前記識別情報判定工程で前記識別情報が記憶されていると判定された場合に、該識別情報で特定される前記コンテンツのコピー個数をカウントしたカウント数がコピー個数制限内であるか否かを判定するカウント数判定工程と、前記課金／非課金識別工程での識別結果と前記識別情報判定工程での判定結果と前記カウント数判定工程で判定されたカウント数とに基づいて、前記識別情報と該識別情報で特定される前記カウント数とを前記記憶手段に記憶するか否かを決定するとともに、前記課金／非課金識別工程での識別結果と前記カウント数判定工程で判定されたカウント数とに基づいて、前記コンテンツを他の記録媒体に記録するか否かを決定するコンテンツ記録工程とを有し、前記コンテンツ記録工程では、前記課金／非課金識別工程での識別結果が非課金を示し、前記識別情報判定工程で前記識別情報が記憶されていないと判定された場合には、前記コンテンツを記録するときに、前記カウント数を１として前記識別情報を前記記憶手段に記憶し、前記課金／非課金識別工程での識別結果が非課金を示し、前記識別情報判定工程で前記識別情報が記憶されていると判定され、かつ前記カウント数判定工程で判定された前記カウント数がコピー個数制限内である場合には、該カウント数を前記記憶手段にインクリメントしてから前記コンテンツ出力を外部に導出し、前記課金／非課金識別工程での識別結果が非課金を示し、前記識別情報判定工程で前記識別情報が記憶されていると判定され、かつ前記カウント数判定工程で判定された前記カウント数が前記コピー個数制限を超えた場合には、前記コンテンツ出力の外部への導出を禁止し、前記課金／非課金識別手段工程での識別結果が課金を示す場合には、前記コンテンツ出力を外部に導出する。
【００２２】
つまり、このデータ記録方法では、課金／非課金識別工程の識別結果と、カウント数判定工程の判定結果に基づいてコンテンツを他の記録媒体に記録するか否かを決定する。
【００２３】
すなわち、前記課金／非課金識別工程での識別結果が非課金を示し、かつ前記カウント数判定工程での判定結果が所定数以内であることを示すとき、前記コンテンツ記録工程は前記カウント数がアップされてから前記コンテンツを他の媒体に記録する。
【００２４】
また、前記課金／非課金識別工程での識別結果が非課金を示し、かつ前記カウント数判定工程での判定結果が所定数を超えたことを示すとき、前記コンテンツ出力工程は前記コンテンツ出力の外部への導出を停止する。
【００２７】
【発明の実施の形態】
以下、本発明の実施の形態について説明する。
先ず、本発明のデータ出力装置及びデータ出力方法の実施の形態となる、オーディオデータ再生装置について図１〜図５を用いて説明する。
【００２８】
このオーディオデータ再生装置１０は、図１に構成を示すように、光ディスク１から供給された信号から音楽コンテンツを出力するコンテンツ出力部１１と、コンテンツを特定するための識別情報を読み取る識別情報読み取り部１５と、前記音楽コンテンツが課金又は非課金であるかを識別する課金／非課金識別部１６と、識別情報読み取り部１５が読み取った識別情報に関する情報を記憶するＲＡＭ１８とを備えている。このＲＡＭ１８は、本実施の形態においてコピー個数制限を行うときに用いられるので個数制限用ＲＡＭ１８と呼ぶ。
【００２９】
また、このオーディオ再生装置１０は、光ディスク１を回転するスピンドルモータ２１と、回転された光ディスク１から記録信号を読み出す光ピックアップ２０と、スピンドルモータ２１の回転及び光ピックアップ２０の光ディスク１に対するフォーカス、トラッキングを制御するサーボ回路２２とを備えている。
【００３０】
また、このオーディオ再生装置１０は、コンテンツ出力部１１からコンテンツを出力するときに、識別情報読み取り部１５が読み取った識別情報を個数制限用ＲＡＭ１８に記憶させるか否かを、課金／非課金識別部１６の識別結果に基づいて制御する中央処理ユニット（ＣＰＵ）１７と、コンテンツ出力部１１がコンテンツ（ディジタルデータ）を出力する相手先を認証する相手先認証部２３と、この相手先認証部２３を介したコンテンツ出力部１１からのコンテンツ（ディジタルデータ）をＣＰＵ１７の制御により切り替える切り替え部２４と、切り替え部２４からのコンテンツ（ディジタルデータ）を外部に供給するためのディジタル出力端子２５とを備える。
【００３１】
また、このオーディオ再生装置１０は、コンテンツ出力部１１からのコンテンツ（ディジタルデータ）をアナログ信号に変換するＤ／Ａ変換器２６と、このＤ／Ａ変換部２６からのアナログ信号出力を外部に供給するためのアナログ出力端子２７とを備える。
【００３２】
コンテンツ出力部１１は、ＲＦアンプ１２と復調回路１３とエラー訂正復号回路１４とを備えてなり、光ディスク１から光ピックアップ２０が読み出したＲＦ信号に復調処理及び復号処理を施してコンテンツを出力する。このため、ＲＦアンプ１２は、前記ＲＦ信号を２値化して光ディスク１に記録された信号を取り出し、この２値化された信号を復調回路１３に送る。またＲＦアンプ１２は、ＲＦ信号から同期信号を分離し、さらにトラッキングエラー信号やフォーカスエラー信号等を取り出してサーボ回路２２に送る。
【００３３】
復調回路１３は、光ディスク１にコンテンツデータを記録するときに施された変調を復調する処理、例えば１６チャンネルビットを８ビットのデータに変換する処理が行われる。復調回路１３からのディジタルデータは、エラー訂正復号回路１４に送られる。
【００３４】
エラー訂正復号回路１４は、光ディスク１にコンテンツデータを記録するときに施された誤り訂正符号化の逆処理を前記ディジタルデータに施す。このエラー訂正復号回路１４から出力されたコンテンツのディジタルデータは、相手先認証部２３及びＤ／Ａ変換器２６に供給される。
【００３５】
識別情報読み取り部１５は、光ピックアップ２０により読み出されたＲＦ信号からコンテンツを特定するための識別情報を読み取る。この識別情報としては、オーディオデータ再生装置１０が音楽コンテンツを対象としているので、インターナショナルスタンダードリコーディングコード（International Standard Recording Code：ＩＳＲＣ）が用いられる。このＩＳＲＣにより、音楽コンテンツの各タイトルが一意に決まる。
【００３６】
課金／非課金識別部１６は、前記コンテンツが課金又は非課金であるかを識別し、その識別結果をＣＰＵ１７に供給する。
【００３７】
個数制限用ＲＡＭ１８は、識別情報読み取り部１５が読み取った前記ＩＳＲＣを、前記課金／非課金識別結果に応じたＣＰＵ１７による切り替えスイッチ１９の制御の基に記憶する。
【００３８】
光ピックアップ２０は、レーザダイオード等の光ビームの光源、コリメータレンズ、対物レンズ、偏光ビームスプリッタ、シリンドリカルレンズなどの光学部品を備えている。また、フォトダイオードよりなる光検出器を備えている。そして、光検出器にてＲＦ信号を生成し、ＲＦアンプ１２や識別情報読み取り部１５に供給している。
【００３９】
サーボ回路２２は、ＲＦアンプ１２にて生成された同期信号や、トラッキングエラー信号、フォーカスエラー信号等に基づいてスピンドルモータ２１の回転制御及び光ピックアップ２０のトラッキングサーボ、フォーカスサーボ等を行う。
【００４０】
相手先認証部２３は、コンテンツ出力部１１がコンテンツ（ディジタルデータ）を出力する相手先を認証する。具体的には、ディジタル出力端子２５を介して接続される機器が記録機であるのか否かを認証し、その認証結果をＣＰＵ１７に供給する。
【００４１】
ＣＰＵ１７は、コンテンツ出力部１１からのコンテンツ出力（ディジタル）の出力先と、前記課金／非課金識別部１６の識別結果に基づいて、識別情報読み取り部１５がＲＦ信号から読み取ったＩＳＲＣに関する情報を個数制限用ＲＡＭ１８に記憶させるか否かを制御する。
【００４２】
すなわち、ＣＰＵ１７は出力端子２５を介したコンテンツ出力部１１のコンテンツ出力（ディジタル）の外部への導出時に相手先が記録機であり、かつ課金／非課金識別部１６からの識別結果が非課金を示すとき、ＩＳＲＣに関する情報を切り替えスイッチ１９をオンにして個数制限用ＲＡＭ１８に記憶させる。
【００４３】
また、ＣＰＵ１７はコンテンツ出力部１１からのコンテンツ出力（ディジタル）の出力先と少なくとも課金／非課金識別部１６からの識別結果に基づいてコンテンツ出力部１１のコンテンツ出力（ディジタル）の外部への導出を制御する。
【００４４】
すなわち、ＣＰＵ１７はディジタル出力端子２５を介したコンテンツ出力部１１のコンテンツ出力（ディジタル）の外部への導出時に相手先が記録機であり、かつ課金／非課金識別部１６からの識別結果が課金を示すとき、切り替えスイッチ２４をオンにしてコンテンツ出力部１１のコンテンツ出力（ディジタル）をディジタル出力端子２５から外部記録機に導出させる。
【００４５】
また、ＣＰＵ１７は、ＣＰＵ１７はコンテンツ出力部１１からのコンテンツ出力（ディジタル）の出力先と課金／非課金識別部１６からの識別結果と、個数制限用ＲＡＭ１８に記憶されているＩＳＲＣのカウント数に基づいてコンテンツ出力部１１のコンテンツ出力（ディジタル）の外部への導出を制御する。
【００４６】
すなわち、ＣＰＵ１７はディジタル出力端子２５を介したコンテンツ出力部１１のコンテンツ出力（ディジタル）の外部への導出時に相手先が記録機であり、また課金／非課金識別部１６からの識別結果が非課金であり、かつ個数制限用ＲＡＭ１８に記憶されているカウント数が所定数以内であるとき、そのカウント数をアップし、また切り替えスイッチ２４をオンにしてコンテンツ出力部１１のコンテンツ出力（ディジタル）を外部の記録機に導出させる。
【００４７】
また、ＣＰＵ１７は出力端子２５を介したコンテンツ出力部１１からのコンテンツ出力（ディジタル）の外部への導出時に相手先が記録機であり、また課金／非課金識別部１６からの識別結果が非課金であっても、個数制限用ＲＡＭ１８に記憶されているカウント数が所定数を超えたときには、切り替えスイッチ２４をオフにしてコンテンツ出力部１１のコンテンツ出力（ディジタル）の外部記録機への導出を禁止する。
【００４８】
図２には、個数制限用ＲＡＭ１８に記録されるデータフォーマットの一例を示す。音楽コンテンツの場合、前記ＩＳＲＣ（International Standard Code）で各タイトルが一意に決まるので、それを利用する。コピー個数制限が１個のシステムでは個数を示す４ビットは不要だが、３個まで、５個までというシステムだと必要になる。また、このフォーマットではＩＳＲＣとして６０ビットを含め、１コラム６４ビットであり後述するように１０００曲ストアするには、６４ビット必要となる。
【００４９】
この例では図３に示すように、番号１〜番号２５０までの２５０曲に関するコピー個数とＩＳＲＣがストアされている。番号１の曲のコピー個数は現在１であり、ＩＳＲＣはＩＳＲＣaである。番号３の曲のコピー個数は現在４であり、ＩＳＲＣはＩＳＲＣbである。また、番号２５０の曲のコピー個数は現在５であり、ＩＳＲＣはＩＳＲＣxである。コピー個数の上限を５とすれば、番号２５０の曲のコピー個数は既に５であるので、これ以後のコピーに制限を与えることになる。現在の合計コピー個数は５６７である。なお、図３に示した具体例では、番号２５０までの曲についてコピー個数とＩＳＲＣがストアされているが、最大では番号１０００までの１０００曲についてストア可能である。コピー個数の上限が５であるので、１０００曲全てについてのコピー個数は５０００個になる。
【００５０】
次に、図４及び図５を用いてオーディオデータ再生装置１０のＣＰＵ１７が行う処理について説明する。ここで説明する処理は、オーディオデータ再生装置１０のＣＰＵ１７が実行するデータ出力方法の具体例となる。ユーザによるコンテンツの指定を伴ったコピー出力要求に対する処理である。ディジタル出力端子２５には記録機が接続されているとする。
【００５１】
先ず、光ディスク１がこのオーディオデータ再生装置１０に装着され、ステップＳ１にて前記コピー出力要求時のコピー出力モードが選択される。このとき、相手先がコピー可能か否か、すなわち記録機であるか否かが判断される。ここで、記録機であるならば、このオーディオデータ再生装置１０はセキュアＩ／Ｆ機能を有効とするようなコピー出力モードになりコピー個数制限がかかる。
【００５２】
次に、オーディオデータ再生装置１０では、光ディスク１を、スピンドルモータ２１により所定回転数で回転する。このときに光ピックアップ２０により取り出されたＲＦ信号から、課金／非課金識別部１６は該当コンテンツが課金であるか非課金であるかを識別する。ＣＰＵ１７はその識別結果を受け取り、非課金であることを判断する（ステップＳ２にてＹＥＳ）と、ステップＳ３に進み、前記図３に示したようにコピー出力モードの対象となる番号ｘの曲のコピー個数が制限内か否かを判断する。
【００５３】
ステップＳ３にてコピー出力モードの対象となる番号ｘの曲のコピー個数が制限内であると判断すれば（ＹＥＳ）、ステップＳ４にて個数制限用ＲＡＭ１８に前記ＩＳＲＣ及び／又はコピー個数を記録してから、ステップＳ５でコピー出力を行う。この場合、個数制限用ＲＡＭ１８に前記ＩＳＲＣが無い場合、すなわちコピー出力が始めての場合と、個数制限内の場合とがある。これについての具体例は後述する。
【００５４】
ステップＳ３における個数制限内か否かの判断で個数制限を超えることになると（ステップＳ３にてＮＯ）、許容制限オーバーなので出力を禁止する（ステップＳ７）。
【００５５】
また、ステップＳ２にて前記コンテンツは課金コンテンツであると前記識別結果からＣＰＵ１７が判断すると、出力先で課金制御がなされるので、このデータ出力装置におけるコピー個数制限は不要であり、そのままデータ出力（コピー出力）が行われる（ステップＳ６）。
【００５６】
図５には、ＣＰＵ１７が前記識別結果を受け取り、非課金であることを判断した（ステップＳ２にてＹＥＳ）後の、詳細な処理について記す。非課金であることを判断すると、ステップＳ１２に進み、個数制限用ＲＡＭ１８に前記ＩＳＲＣがあるか否かを判断する。
【００５７】
個数制限用ＲＡＭ１８に前記ＩＳＲＣが無ければ、すなわちコピー出力が始めてなら前記図３に示したフォーマットに従い、コピー個数１としてそのＩＳＲＣを書き（ステップＳ１６）、ステップＳ１７にてコピー出力を行う。許容されている個数制限が１個の場合は、このフローのみで、次のステップＳ１３における「個数制限内か？」のチェックがなくなる。
【００５８】
また、コピー個数制限が５個以内であれば、ステップＳ１３にてＹＥＳとなり、該当のＩＳＲＣの個数を個数制限用ＲＡＭ１８にインクリメント（１→２、２→３、３→４、４→５）してＩＳＲＣを記録し（ステップＳ１４）、ステップＳ１５にてコピー出力を行う。
【００５９】
ステップＳ１３における個数制限内か否かの判断で個数制限（５個）を超えることになると（ステップＳ１３にてＮＯ）、許容制限オーバーなので出力を禁止する（ステップＳ１８）。
【００６０】
以上に説明したように、図１のオーディオデータ再生装置１０は、コピー個数を制限するシステムを採用しながらも、非課金用コンテンツのみコピー個数制限対象とし、課金用コンテンツは個数制限対象外とするので、ユーザにとって納得のいく装置となる。また、課金用コンテンツと非課金用コンテンツを同一のコピー個数制限システムで利用できる装置である。
【００６１】
次に、本発明のデータ記録装置及びデータ記録方法の実施の形態となる、オーディオデータ記録装置３０について図６及び図７を用いて説明する。
【００６２】
このオーディオデータ記録装置３０は、記録機側でコピー個数制限をするものである。このため、例えば再生用光ディスクから読み出されたコンテンツを他のデータ記録媒体、例えば記録用光ディスク４４に記録するコンテンツ記録部３８と、コンテンツを特定するための識別情報、例えばＩＳＲＣを読み取る識別情報読み取り部（ＩＳＲＣ読み取り部）３６と、コンテンツが課金又は非課金であるかを識別する課金／非課金識別部３２と、ＩＳＲＣ読み取り部３６が読み取ったＩＳＲＣに関する情報を記憶する個数制限用ＲＡＭ３４と、コンテンツ記録部３８によるコンテンツの記録用光ディスク４４への記録時に、前記各部を制御するＣＰＵ３３とを備える。
【００６３】
再生用光ディスクから読み出され、入力端子３１から入力されたコンテンツのディジタルデータは、ＩＳＲＣ読み取り部３６を経て、ＣＰＵ３３により切り替えが制御される切り替え部３７に供給される。そして、切り替え部３７からコンテンツ記録部３８に選択的に供給される。
【００６４】
コンテンツ記録部３８は、エラー訂正符号化回路３９と変調回路４０と記録アンプ４１と記録用光学ヘッド４２からなる。エラー訂正符号化回路３９は、切り替え部３７を介して供給されたコンテンツのディジタルデータに対して、誤り訂正符号化処理を施す。変調回路４０は、所定の変調方式にしたがって、例えば８ビットデータを１６チャンネルビットの変調データに変換して出力する。そして、記録アンプ４１を介して記録用光学ヘッド４２がコンテンツのディジタルデータを、スピンドルモータ４３で回転される記録用光ディスク４４に記録する。
【００６５】
個数制限用ＲＡＭ３４は、前記ＩＳＲＣとコピー個数を前記図４に示すフォーマットで記憶している。
【００６６】
ＣＰＵ３３は、ユーザにより指定されたＩＳＲＣの付随したコンテンツが非課金用であって、既に許容個数記録（コピー）されているか否かを判断し、そうであれば、記録を禁止する。そうでなければ記録を行い、非課金の場合は個数制限用ＲＡＭ３４に記録する。
【００６７】
このため、ＣＰＵ３３は、コンテンツ記録部３８がコンテンツを記録するときに、ＩＳＲＣ読み取り部３６が読み取ったＩＳＲＣを個数制限用ＲＡＭ３４に記憶させるか否かを、課金／非課金識別部３２の識別結果に基づき、切り替え部３５を用いて制御する。
【００６８】
例えば、課金／非課金識別部３２からの識別結果が非課金を示すとき、ＣＰＵ３３は前記コンテンツ記録時にＩＳＲＣに関する情報を切り替え部３５をオンにして個数制限用ＲＡＭ３４に記憶させる。
【００６９】
また、ＣＰＵ３３は、少なくとも課金／非課金識別部３２からの識別結果に基づいてコンテンツ記録部３８のコンテンツ記録処理を制御する。すなわち、ＣＰＵ３３は、課金／非課金識別部３２からの識別結果が課金を示すとき、コンテンツ記録部３８にコンテンツ記録処理を行わせる。
【００７０】
また、ＣＰＵ３３は、課金／非課金識別部３２からの識別結果と、個数制限用ＲＡＭ３４に記憶されているＩＳＲＣに関するカウント数に基づいて、コンテンツ記録部３８のコンテンツ記録処理を制御する。すなわち、ＣＰＵ３３は、前記識別結果が非課金を示し、かつ個数制限用ＲＡＭ３４に記憶されているＩＳＲＣに関するカウント数が所定数以内であるとき、そのカウント数をアップしてからコンテンツ記録部３８にコンテンツ記録処理を行わせる。また、ＣＰＵ３３は、前記識別結果が非課金を示し、かつ個数制限用ＲＡＭ３４に記憶されている前記ＩＳＲＣに関するカウント数が所定数を超えたとき、コンテンツ記録部３８のコンテンツ記録処理を禁止する。
【００７１】
次に、図７を用いてオーディオデータ記録装置３０のＣＰＵ３３が行う処理について説明する。ここで説明する処理は、オーディオデータ記録装置３０のＣＰＵ３３が実行するデータ記録方法の具体例となる。
【００７２】
先ず、ステップＳ２１にてデータ記録モードがユーザにより選択される。このとき、入力端子３１を介して入力されたコンテンツは、課金／非課金識別部３２とＩＳＲＣ読み取り部３６に供給されている。
【００７３】
課金／非課金識別部３２は、前記コンテンツが課金又は非課金であるかを識別し、その識別結果をＣＰＵ３３に供給してくる。
【００７４】
ＣＰＵ３３は、ステップＳ２２にて前記識別結果が非課金を示すものであるか否かを判断する。非課金を示す（ＹＥＳ）ときには、ステップＳ２３に進む。非課金でなく、課金を示す（ＮＯ）ときには、ステップＳ２６に進む。
【００７５】
ＩＳＲＣ読み取り部３６は、前記コンテンツ入力からコンテンツを特定するためのＩＳＲＣを読み取りＣＰＵ３３に供給する。
【００７６】
すると、ＣＰＵ３３は、そのＩＳＲＣのコピー個数を図４のフォーマットの個数制限用ＲＡＭ３４に読みにいき、個数制限内か否かを判断する。ここで、個数制限内であれば（ＹＥＳ）、ステップＳ２４に進み、切り替え部３５をオンにして個数制限用ＲＡＭ３４に前記ＩＳＲＣ及び／又はコピー個数を記録してから、ステップＳ２５でコピー記録を行う。この場合、個数制限用ＲＡＭ３４に前記ＩＳＲＣが無い場合、すなわちコピー記録が始めての場合と、個数制限内の場合とがある。
【００７７】
ステップＳ２２にて前記識別結果が課金を示すと判断したときに進んだステップＳ２６では、このオーディオデータ記録装置におけるコピー個数制限は不要であり、そのままデータ記録（コピー記録）が行われる。
【００７８】
ステップＳ２３における個数制限内か否かの判断で個数制限を超えることになると（ＮＯ）、許容制限オーバーなのでデータ記録を禁止する（ステップＳ２７）。
【００７９】
ＣＰＵ３３が前記識別結果を受け取り、非課金であることを判断した（ステップＳ２２にてＹＥＳ）後の、詳細な処理について補足的に説明する。
【００８０】
非課金であることを判断すると、ステップＳ２３に進み、個数制限用ＲＡＭ３４に前記ＩＳＲＣがあるか否かを判断する。
【００８１】
個数制限用ＲＡＭ３３に前記ＩＳＲＣが無ければ、すなわちコピー記録が始めてなら前記図３に示したフォーマットに従い、コピー個数１としてそのＩＳＲＣを書き（ステップＳ２４）、ステップＳ２５にてコピー出力を行う。許容されている個数制限が１個の場合は、このフローのみで、次のステップＳ２３における「個数制限内か？」のチェックがなくなる。
【００８２】
また、コピー個数制限が５個以内であれば、ステップＳ２３にてＹＥＳとなり、該当のＩＳＲＣの個数を個数制限用ＲＡＭ３４にインクリメント（１→２、２→３、３→４、４→５）してＩＳＲＣを記録し（ステップＳ２４）、ステップＳ２５にてコピー記録を行う。
【００８３】
ステップＳ２３における個数制限内か否かの判断で個数制限（５個）を超えることになると（ステップＳ２３にてＮＯ）、許容制限オーバーなのでデータ記録を禁止する（ステップＳ２７）。
【００８４】
以上に説明したように、図６のオーディオデータ記録装置３０は、コピー個数を制限するシステムを採用しながらも、非課金用コンテンツのみコピー個数制限対象とし、課金用コンテンツは個数制限対象外とするので、ユーザにとって納得のいく装置となる。また、課金用コンテンツと非課金用コンテンツを同一のコピー個数制限システムで利用できる装置である。
【００８５】
次に、本発明のデータ記録装置及びデータ記録方法の他の実施の形態となる、オーディオデータ記録装置５０について図８〜図１０を用いて説明する。
【００８６】
このオーディオデータ記録装置５０は、記録機側でコンテンツの著作権保護処理を行うものである。このため、このオーディオデータ記録装置５０は、例えば再生用光ディスクから読み出されたコンテンツを他のデータ記録媒体、例えば記録用光ディスク６４に記録するコンテンツ記録部５８と、コンテンツが課金又は非課金であるかを識別する課金／非課金識別部５２と、コンテンツの著作権を保護するための著作権保護情報、例えばシリアルコピーマネージメントシステム（ＳＣＭＳ）に関する情報（以下、ＳＣＭＳと記す）を読み取るＳＣＭＳ読み取り部５４と、ＳＣＭＳ読み取り部５４が読み取ったＳＣＭＳを書き換えるＳＣＭＳ書き換え部５６とを備えてなる。
【００８７】
また、このオーディオデータ記録装置５０は、課金／非課金識別部５２の識別結果に基づいて前記コンテンツ入力をＳＣＭＳ読み取り部５４に供給するか否かを切り替える切り替え部５３と、ＳＣＭＳ読み取り部５４で読み取ったＳＣＭＳに基づいて前記コンテンツ入力を後述する混合部５７に供給するか否かを切り替える切り替え部５５と、この切り替え部５５からの出力とＳＣＭＳ書き換え部５６との出力を混合する混合部５７とを備える。
【００８８】
コンテンツ記録部５８は、エラー訂正符号化回路５９と変調回路６０と記録アンプ６１と記録用光学ヘッド６２からなる。エラー訂正符号化回路５９は、混合部５７で書き換えられたＳＣＭＳと混合されたコンテンツのディジタルデータに対して、誤り訂正符号化処理を施す。変調回路６０は、所定の変調方式にしたがって、例えば８ビットデータを１６チャンネルビットの変調データに変換して出力する。そして、記録アンプ６１を介して記録用光学ヘッド６２がコンテンツのディジタルデータを、スピンドルモータ６３で回転される記録用光ディスク６４に記録する。
【００８９】
入力端子５１から入力されるコンテンツには、図９に示すように、１ビットの課金／非課金対応を示す識別コードと、２ビットのＳＣＭＳが付加されている。前記課金／非課金対応を示す識別コードが“０”であるときには非課金対応を示し、“１”であるときには課金対応を示す。また、ＳＣＭＳが“００”であるときにはコピーフリーを示し、“０１”であるときには１世代コピー可を示し、“１１”であるときにはコピー禁止を示す。前記“０１”がコピーされると“１１”に書き換えられる。“１０”はリザーブである。
【００９０】
よって、課金／非課金識別部５２が“０”を識別するとコンテンツは非課金対応であることが分かる。また、“１”を識別すると課金対応であることが分かる。
【００９１】
また、ＳＣＭＳ読み取り部５４が“００”を読み取るとコンテンツはコピーフリーであることが分かる。また、“０１”を読み取ると１世代コピー可であることが分かる。さらに“１１”を読み取るとコピー禁止であることが分かる。
【００９２】
そして、このオーディオデータ記録装置５０は、課金／非課金識別部５２の識別結果に基づいて切り替え部５３のオンオフを制御し、ＳＣＭＳ読み取り部５４にＳＣＭＳを読み取らせ、必要に応じてＳＣＭＳ書き換え部５６にＳＣＭＳを書き換えさせてからそのＳＣＭＳを、必要に応じて混合部５７にて前記コンテンツと混合してコンテンツ記録部５８に供給する。
【００９３】
特に、このオーディオデータ記録装置５０では、課金／非課金識別部５２の識別結果が非課金対応“０”を示すと、切り替え部５３をオンにする。すると、ＳＣＭＳ読み取り部５４には前記コンテンツ入力が供給される。ここで、ＳＣＭＳ読み取り部５４が“０１”を読み取ると、そのＳＣＭＳが１世代のみコピーを許可するものであるので、ＳＣＭＳ書き換え部５６はＳＣＭＳをコピー禁止の“１１”に書き換えてから混合部５７にて前記コンテンツと混合させる。
【００９４】
また、このオーディオデータ記録装置５０では、課金／非課金識別部５２の識別結果が非課金対応“０”を示し、ＳＣＭＳ読み取り部５４が読み取ったＳＣＭＳが“００”でコピーをフリーに許可するものであるとき、ＳＣＭＳ書き換え部５６にてＳＣＭＳ書き換えずに、混合部５７にて前記コンテンツと混合させる。
【００９５】
また、このオーディオデータ記録装置５０では、課金／非課金識別部５２の識別結果が非課金対応“０”を示し、ＳＣＭＳ読み取り部５４が読み取ったＳＣＭＳがコピーを禁止する“１１”であるときには切り替え部５５をオフとしてコンテンツを混合の対象にせず、コンテンツ記録部５８にコンテンツを送らない。
【００９６】
また、このオーディオデータ記録装置５０では、課金／非課金識別部５２の識別結果が課金対応“１”を示すときには、切り替えスイッチ５３をオフとし、ＳＣＭＳ読み取り部５４及びＳＣＭＳ書き換え部５６へのコンテンツの供給を止める。そして、前記コンテンツ入力を切り替え部５５及び混合部５７を通して、コンテンツ記録部５８にダイレクトに供給する。
【００９７】
次に、図１０を用いてオーディオデータ記録装置５０が行う処理について説明する。ここで説明する処理は、オーディオデータ記録装置５０が実行するデータ記録方法の具体例となる。
【００９８】
先ず、ステップＳ４１にてデータ記録モードがユーザにより選択される。このとき、入力端子５１を介して入力されたコンテンツは、課金／非課金識別部５２と切り替え部５３と切り替え部５５に供給されている。
【００９９】
課金／非課金識別部５２は、前記コンテンツに付加さている前記図９の１ビット目を読み、課金“１”又は非課金“０”であるかを識別する（ステップＳ４２）。例えば、ここで非課金対応“０”を識別すると、ステップＳ４３に進み、切り替え部５３をオンにしてからＳＣＭＳ読み取り部５４にＳＣＭＳの２ビットを読み取らせる。
【０１００】
このステップＳ４３にてＳＣＭＳ読み取り部５４が“００”を読み取ると、コピーフリーであるので、ＳＣＭＳを書き換えず“００”のままで、コンテンツ記録部５８にコンテンツを供給して記録用光ディスク６４にデータ記録させる（ステップＳ４４）。
【０１０１】
ステップＳ４３にてＳＣＭＳ読み取り部５４が“０１”を読み取ると、このコンテンツは１世代のコピーを可としているので、ＳＣＭＳを“１１”に書き換えてから、コンテンツ記録部５８にコンテンツを供給して記録用光ディスク６４にデータ記録させる（ステップＳ４５）。
【０１０２】
ステップＳ４３にてＳＣＭＳ読み取り部５４が“１１”を読み取ると、このコンテンツはコピーを禁止しているので、切り替え部５５をオフにして、データ記録を禁止する（ステップＳ４６）。
【０１０３】
ステップＳ４２にて課金／非課金識別部５２が課金対応“１”を識別すると、ステップＳ４７に進み、切り替え部５３をオフ、切り替え部５５をオンにして、ＳＣＭＳを書き換えずにデータ記録を行う。
【０１０４】
ここで、混合部５７とデータ記録部５８を通してのＳＣＭＳ（書き換えＳＣＭＳを含む）とコンテンツデータの記録処理は、ウォーターマーク（ＷＭ）を、例えばスペクラム拡散などでコンテンツそのものに視聴が無いように埋め込む（いわゆるデータハイディング）ことにより、ディジタル出力のみならず、アナログ信号中にも埋め込まれ、コピーを繰り返しても引き継がれるので、ソースの出射や履歴を追うことが出来る。
【０１０５】
以上に説明したように、図８のオーディオデータ記録装置５０は、著作権保護システムを採用しながらも、非課金用コンテンツのみ著作権保護対象とし、課金用コンテンツは対象外とするので、ユーザにとって納得のいく装置となる。また、課金用コンテンツと非課金用コンテンツを同一の著作権保護システムで利用できる装置である。
【０１０６】
なお、図１に示したオーディオデータ出力装置１０や、図６に示したオーディオデータ記録装置３０では、コンテンツを特定する識別情報としてＩＳＲＣを用いたが、これに限らずコンテンツを識別しうるコードであれば何でもよい。
【０１０７】
また、図８に示したオーディオデータ記録装置５０では、著作権保護情報としてＳＣＭＳを用いたが、著作権を保護しうるコードであれば何でもよい。
【０１０８】
また、本発明は半導体、ＨＤＤ、ＣＤ−Ｒ／ＲＷ、ＤＶＤ−ＲＡＭ／Ｒ／ＲＷ、ＦＤＤ、ＭＤ、テープ他の種々のメディアに適用可能である。
【０１０９】
【発明の効果】
本発明によれば、コピー個数に制限のあるシステムで、非課金用コンテンツのみコピー個数制限対象とし、ユーザにとって納得のいくものとなるデータ出力装置及びデータ出力方法、並びにデータ記録装置及びデータ記録方法を提供できる。
【０１１０】
また、課金用コンテンツと非課金用コンテンツを同一のコピー個数制限システムで利用できるデータ出力装置及びデータ出力方法、並びにデータ記録装置及びデータ記録方法を提供できる。
また、本発明によれば、著作権保護システムで、非課金用コンテンツのみ著作権保護対象とし、ユーザにとって納得のいくものとなるデータ出力装置及びデータ出力方法、並びにデータ記録装置及びデータ記録方法を提供できる。
【０１１１】
また、課金用コンテンツと非課金用コンテンツを同一の著作権保護システムで利用できるデータ出力装置及びデータ出力方法、並びにデータ記録装置及びデータ記録方法を提供できる。
【図面の簡単な説明】
【図１】本発明のデータ出力装置及びデータ出力方法の実施の形態となる、オーディオデータ再生装置の構成を示すブロック図である。
【図２】個数制限用ＲＡＭに記録されるデータフォーマットの一例を示す図である。
【図３】個数制限用ＲＡＭに記録されるデータの具体例を示す図である。
【図４】本発明のデータ出力方法の具体例を説明するためのフローチャートである。
【図５】前記データ出力方法の具体例をさらに詳細に説明するためのフローチャートである。
【図６】本発明に係るデータ記録装置及びデータ記録方法の実施の形態となる、オーディオデータ記録装置の構成を示すブロック図である。
【図７】本発明のデータ記録方法の具体例を説明するためのフローチャートである。
【図８】本発明に係るデータ記録装置及びデータ記録方法の他の実施の形態となる、オーディオデータ記録装置の構成を示すブロック図である。
【図９】前記オーディオデータ記録装置に入力されるコンテンツデータのフォーマット図である。
【図１０】本発明に係るデータ記録方法の他の具体例を説明するためのフローチャートである。
【符号の説明】
１０  オーディオデータ再生装置、１１  コンテンツ出力部、１５  ＩＳＲＣ読み取り部、１６  課金／非課金識別部、１７  ＣＰＵ、１８  個数制限用ＲＡＭ、２０  光学ヘッド
【図１】
0004427923.tif 000002
【図２】
0004427923.tif 000003
【図３】
0004427923.tif 000004
【図４】
0004427923.tif 000005
【図５】
0004427923.tif 000006
【図６】
0004427923.tif 000007
【図７】
0004427923.tif 000008
【図８】
0004427923.tif 000009
【図９】
0004427923.tif 000010
【図１０】
0004427923.tif 000011